(57)【要約】【課題】本発明は、薄型化を図るとともにローリング現象を防止しギャップ不良を低減するスピーカの組立方法を提供することを目的とする。【解決手段】本発明は、第二の板状磁石７を下ケース６に組付けた後、前記第二の板状磁石７の側面部全体に磁性流体１４を付着させ、しかる後、前記ボイスコイル１０を組付けた振動板９と、前記第一の板状磁石１２を組付けた上ケース１５に、下ケース６を組み合わせることにより、前記第一の板状磁石１２の磁力によって、前記第二の板状磁石７の長手方向の側面部と前記ボイスコイル１０との間にのみ磁性流体１４を介在させるようにしたものである。【選択図】図９
2009253795.tif 000002
【特許請求の範囲】
【請求項１】
上下ケースと、磁気ギャップを介して水平方向または略水平方向に配置した長方形状の第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成とするとともに、前記第二の板状磁石の長手方向の側面部と前記ボイスコイルとの間に磁性流体を介在させたスピーカの組立方法であって、前記第二の板状磁石を下ケースに組付けた後、前記第二の板状磁石の側面部全体に磁性流体を付着させ、しかる後、前記ボイスコイルを組付けた振動板と、前記第一の板状磁石を組付けた上ケースに、下ケースを組み合わせることにより、前記第一の板状磁石の磁力によって、前記第二の板状磁石の長手方向の側面部と前記ボイスコイルとの間にのみ磁性流体を介在させるようにすることを特徴とするスピーカの組立方法。
【請求項２】
長方形状の第一、第二の板状磁石は、磁気的に連結させて磁気回路を形成させるようにした請求項１に記載のスピーカの組立方法。
【請求項３】
ボイスコイルは平面形状を長方形状とし、この長方形状のボイスコイルの両側の長辺を、長方形状の第二の板状磁石の両側の磁気ギャップに配置した請求項１に記載のスピーカの組立方法。
【請求項４】
第一の板状磁石の、第二の板状磁石への対向側端部をＮ極とした請求項１に記載のスピーカの組立方法。
【請求項５】
請求項１から請求項４のいずれか一つに記載のスピーカの組立方法により組立てたスピーカを本体内に内蔵した電子機器。
【発明の詳細な説明】
【技術分野】
【０００１】
本発明は薄型タイプのスピーカの組立方法とそれを用いた電子機器に関するものである。
【背景技術】
【０００２】
携帯機器などの電子機器においては薄型化が要求されるため、その本体内に内蔵させるスピーカも薄型化が要求されることになる。
【０００３】
スピーカの薄型化を図るためには、その磁気回路を形成するための磁石を小型化することが当然のように行われているが、磁石を小さくすると磁力が小さくなり、その結果として音声出力も小さくなってしまうので、実際は磁石をあまり小さくはできない状態になっている（例えば、このような従来技術は下記特許文献１に記載されている。）。
【特許文献１】特開２００５−５１２８３号公報
【発明の開示】
【発明が解決しようとする課題】
【０００４】
上述のごとく従来から、携帯機器などの電子機器に内蔵させるタイプのスピーカは薄型化が図られているが、音声出力が小さくなってしまうのを避けるべく、実際には磁石をあまり小さくはできないのが実態で、その結果として十分に満足できる薄型化が行なえていないという問題があった。
【０００５】
そこで本発明は薄型化が図れ、しかも音声出力を高めるようにするとともに、ローリング現象を防止しギャップ不良を低減することを目的とするものである。
【課題を解決するための手段】
【０００６】
そしてこの目的を達成するために本発明は、磁気ギャップを介して水平方向または略水平方向に配置した長方形状の第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成とするとともに、前記第二の板状磁石の長手方向の側面部と前記ボイスコイルとの間に磁性流体を介在させたスピーカの組立方法であって、前記第二の板状磁石を下ケースに組付けた後、前記第二の板状磁石の側面部全体に磁性流体を付着させ、しかる後、前記ボイスコイルを組付けた振動板と、前記第一の板状磁石を組付けた上ケースに、下ケースを組み合わせることにより、前記第一の板状磁石の磁力によって、前記第二の板状磁石の長手方向の側面部と前記ボイスコイルとの間にのみ磁性流体を介在させるようにするものである。
【発明の効果】
【０００７】
以上のように本発明は、磁気ギャップを介して水平方向、または略水平方向に配置した第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成としたスピーカであって、磁気ギャップを介して磁気ギャップ水平方向、または略水平方向に配置したので、薄型化が図れ、しかも磁気ギャップの両側に第一、第二の板状磁石を配置したので、磁力を高めて音声出力を高めることができるものとなる。
【０００８】
また、前記第二の板状磁石の長手方向の側面部と前記ボイスコイルとの間に磁性流体を介在させることにより、ローリング現象を防止しギャップ不良を低減できるとともに、ボイスコイルからの放熱効果がよくなり、スピーカとしての高耐入力化を図ることができるものである。
【０００９】
また、前記第二の板状磁石を下ケースに組付けた後、前記第二の板状磁石の側面部全体に磁性流体を付着させ、しかる後、前記ボイスコイルを組付けた振動板と、前記第一の板状磁石を組付けた上ケースに、前記第二の板状磁石を組付けた下ケースを組み合わせることにより、前記第一の板状磁石の磁力によって、前記第二の板状磁石の短手方向の側面部の磁性流体は前記第二の板状磁石の長手方向の側面部方向に引き寄せられ、前記第二の板状磁石の長手方向の側面部と前記ボイスコイルとの間にのみ磁性流体を介在させるようにすることができるものである。
【００１０】
これにより、第二の板状磁石と振動板と磁性流体で囲まれた部分の空気の流通が阻止されることはなく、振動板の振動が制限されるようなことはない。
【発明を実施するための最良の形態】
【００１１】
以下本発明の一実施形態を、電子機器として携帯電話を例にし、添付図面を用いて説明する。
【００１２】
図１において、１は本体で、この本体１には蓋２が開閉自在に結合されている。この図１における背面側から見ると一般的な携帯電話と同じように本体１には操作ボタン（図示せず）が設けられ、また蓋２には液晶式の表示部（図示せず）が設けられている。
【００１３】
また、本体１の外面側には図１のごとく２個のカバー３が設けられ、これらのカバー３の背面側の本体１内には図２、図３に示したスピーカ４が実装されている。
【００１４】
スピーカ４は図３に示すような構成となっている。上ケース１５は非磁性体であるステンレス３０１により形成された上プレート５と樹脂製のフレーム１３とからなっている。磁性体である冷間圧延鋼板により形成された下ケース（以下、下プレートという）６との間には、下プレート６側から上プレート５に向けて順にネオジウム製の第二の板状磁石７、磁性体である冷間圧延鋼板により形成されたリング８、ＰＥＩ樹脂フィルムにより形成された振動板９、銅線などにより形成されたボイスコイル１０、磁性体である冷間圧延鋼板により形成されたリング１１、ネオジウム製の２枚の第一の板状磁石１２を順次配置している。そして、第二の板状磁石７の長手方向の側面部とボイスコイル１０との間にのみ磁性流体を介在させている。
【００１５】
図３、図５、図６に示すように、上記下プレート６は長円形状で、その長手方向中心軸部分の長方形状の固定部６Ａの上平面には、長方形状の第二の板状磁石７の下面が接着剤（図示せず）により固定され、固定部６Ａの両側には長方形状の開口部６Ｂが形成されている。
【００１６】
また下プレート６の外周部分にはリング８が磁束を通過できる状態で固定されている。
【００１７】
さらにリング８上には振動板９の外周が載せられ、振動板９の外周部にはリング１１が載せられた状態になっている。
【００１８】
また、振動板９上方で、上記下プレート６の開口部６Ｂに対向する上プレート５下面部分には、上記２枚の第一の板状磁石１２の上面が接着剤（図示せず）により固定されている。なお、上記２枚の第一の板状磁石１２のそれぞれの外周面は、上記上プレート５下面部分に上記２枚の第一の板状磁石１２の上面を接着する接着剤（図示せず）の一部が、この第一の板状磁石１２のそれぞれの外周面とフレーム１３内周面間に進入することにより、このフレーム１３部分にも固定されている。
【００１９】
また振動板９上面で、第二の板状磁石７の外周に対応する部分には、図６に示すように長方形状のボイスコイル１０が固定されている。
【００２０】
そして、第二の板状磁石７の長手方向の側面部とボイスコイル１０との間にのみ磁性流体を介在させている。
【００２１】
このスピーカ４の組立ては、まず、第二の板状磁石７を下ケース６に組付けた後、図８に示すように、第二の板状磁石７の側面部全体に磁性流体１４を付着させる。そして、組立テーブル上に第一の板状磁石１２が組付けられた上ケース１５と、ボイスコイル１０を組付けた振動板９とを置く。その後、準備しておいた第二の板状磁石７を組付けた下ケース６を、この組立テーブル上に上方から落とし込んで組立てられる。このことにより、組立作業性と信頼性を向上させることができるとともに、図９に示すように、第一の板状磁石１２の磁力によって、第二の板状磁石７の短手方向の側面部の磁性流体１４は、第二の板状磁石７の長手方向の側面部方向に引き寄せられ、第二の板状磁石７の長手方向の側面部とボイスコイル１０との間にのみ磁性流体１４を介在させるようにすることができる。
【００２２】
以上のように構成された状態で、ネオジウム製の２枚の第一の板状磁石１２は、図７に示すごとく、その長手方向内側端部がＮ極、外側端部がＳ極に磁化されている。
【００２３】
また、ネオジウム製の第二の板状磁石７は、図７に示すごとく、その厚み方向の表面側がＳ極、厚み方向の下面側がＮ極に磁化されている。
【００２４】
この結果、図４と図７に示すごとくネオジウム製の２枚の第一の板状磁石１２のそれぞれの内側のＮ極から出た磁束（図４においては図面の煩雑感を避けるために一方の第一の板状磁石１２から出た磁束だけを記載している）は、内方へと略水平に進行してボイスコイル１０を略直交状態で横切り、次に第二の板状磁石７上面のＳ極に進入する（なお、第一の板状磁石１２と第二の板状磁石７は水平、または略水平状態に配置されていると説明しているが、この略水平状態とは図６に示したように第一の板状磁石１２と第二の板状磁石７の厚み方向が一部水平方向で重なった状態、および両者が厚み方向で一部水平方向で重なってはいないが接近した状態も含んだものである。つまり、磁束をボイスコイル１０に略直交するように進行させることが重要で、その点で水平状態には若干の幅が設定されるものである。）。
【００２５】
その後、第二の板状磁石７下面のＮ極から出た磁束は下プレート６の長方形状の固定部６Ａを進行し、リング８、振動板９の外周部を通過後にリング１１に進入し、次にこのリング１１を例えば４分の１周進行後、このリング１１の内周に図６のごとく固定されている第一の板状磁石１２の外周Ｓ極へと進入することとなる。
【００２６】
そして以上の磁束の流れがそのまま磁気回路となり、この磁気回路内で第一の板状磁石１２の内側Ｎ極と第二の板状磁石７の上面Ｓ極間が磁気ギャップとなり、この磁気ギャップでボイスコイル１０は電磁界駆動力が与えられ、これによりボイスコイル１０が固定された振動板９に振動が伝えられ、音声出力が発せられることになる。
【００２７】
ここで再び磁気ギャップにおける磁束の進行について説明する。
【００２８】
図４と図７に示す第一の板状磁石１２のそれぞれの内側のＮ極から出た磁束は、磁気ギャップにおいて内方へと略水平に進行し、ボイスコイル１０を略直交状態で横切るということは電磁界駆動力を大きくするために非常に重要なことであり、本実施の形態において大きな特徴点となっている。
【００２９】
本実施の形態において、磁束が磁気ギャップにおいて内方へと略水平に進行し、ボイスコイル１０を略直交状態で横切る理由について考察する。
【００３０】
一般的に考えると、第一の板状磁石１２のＮ極から出た磁束は、距離的に短い第二の板状磁石７の上面のＳ極へと斜めに進行しようとするが（この場合磁束はボイスコイル１０をわずかながら斜めに横切ることになる）、第二の板状磁石７の下面のＮ極の反発を受けることで、実際にはその反発力で持ち上げられ、その結果として本実施の形態においては、磁束が磁気ギャップにおいて内方へと略水平に進行し、ボイスコイル１０を略直交状態で横切るものと考えられる。
【００３１】
さて本実施の形態では上述のごとく磁気ギャップの両側に第一の板状磁石１２、第二の板状磁石７を設けたので、いわゆる磁力が大きくなり、その結果として上記振動板９による音声出力も大きなものとすることができる。
【００３２】
磁力を大きくするための第一の板状磁石１２、第二の板状磁石７は文字通り板状でそれ自体が薄型のものであるので、結果として全体形状を非常に薄いものとすることができる。
【００３３】
そして、第二の板状磁石７の長手方向の側面部とボイスコイル１０との間にのみ磁性流体を介在させている。この磁性流体１４の働きにより、ローリング現象を抑制しギャップ不良を低減できるとともに、ボイスコイル１０からの放熱効果もよくなることにより高耐入力化を図ることができる。
【００３４】
また、従来の円環状の磁気回路を有するスピーカ構造において磁気ギャップに磁性流体を用いた場合には、磁性流体により内部空気が密閉されるため、空気の流れが阻止され特性悪化となる課題を有していたが、本発明の構成では、第二の板状磁石７の長手方向の側面部とボイスコイル１０との間にのみ磁性流体を介在させているため、第二の板状磁石７の短手方向の側面部とボイスコイル１０との間は空気が流通できるようになっているため、第二の板状磁石７と振動板９と磁性流体１４で囲まれた部分の空気の流通が阻止されることはなく、振動板の振動が制限されるようなことはない。
【産業上の利用可能性】
【００３５】
以上のように本発明は、磁気ギャップを介して水平方向、または略水平方向に配置した第一、第二の板状磁石と、前記磁気ギャップに可動自在に配置したボイスコイルと、このボイスコイルに結合した振動板とを備え、前記第一の板状磁石は、その板端に磁極を形成し、前記第二の板状磁石は、その厚み方向の両端に磁極を形成し、前記磁気ギャップにおけるボイスコイル部分においては、このボイスコイル部分に対して磁束が略直交する構成としたスピーカであって、磁気ギャップを介して磁気ギャップ水平方向、または略水平方向に配置したので、薄型化が図れ、しかも磁気ギャップの両側に第一、第二の板状磁石を配置したので、磁力を高めて音声出力を高めることもできるものとなる。
【００３６】
さらに、前記第二の板状磁石の長手方向の側面部と前記ボイスコイルとの間にのみ磁性流体を介在させるようにしたことにより、ローリング現象を抑制しギャップ不良を低減できるとともに、第二の板状磁石と振動板と磁性流体で囲まれた部分の空気の流通が阻止されることはなく、振動板の振動が制限されるようなことはないので、高耐入力化を図ることができる。
【００３７】
この結果、携帯電話等の携帯機器には非常に活用しやすいものとなる。
【図面の簡単な説明】
【００３８】
【図１】本発明の一実施形態を携帯電話に適用した斜視図
【図２】本発明の一実施形態を携帯電話に適用した斜視図
【図３】同スピーカの分解斜視図
【図４】同スピーカの分解斜視図
【図５】同スピーカを長手方向で切断した断面図
【図６】同スピーカを短手方向で切断した断面図
【図７】図６のＡ部分の拡大断面図
【図８】組立て前の磁性流体の状態を説明する図
【図９】組立て後の磁性流体の状態を説明する図
【符号の説明】
【００３９】
１  本体
４  スピーカ
５  上プレート
６  下ケース(下プレート)
７  第二の板状磁石
１２  第一の板状磁石
１３  フレーム
１４  磁性流体
１５  上ケース
【図１】
2009253795.tif 000003
【図２】
2009253795.tif 000004
【図３】
2009253795.tif 000005
【図４】
2009253795.tif 000006
【図５】
2009253795.tif 000007
【図６】
2009253795.tif 000008
【図７】
2009253795.tif 000009
【図８】
2009253795.tif 000010
【図９】
2009253795.tif 000011